【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
１０００Ω／ｃｍ２以下の抵抗を有する導電性物質の少なくとも１層を含む、病的状態を有する生物の身体の治癒および疼痛の軽減を促進するための手当て用品であって、前記導電性物質が、病的状態に罹患した生物の身体の部分の最も近くに置かれた時に、前記病的状態と関連して生じている電気力学的作用を改変して、生物における治癒および疼痛の軽減を促進する手当て用品。
【請求項２】
前記手当て用品が身体表面の創傷を架橋するような大きさにされており、創傷周辺を取り囲む健常組織および創傷と接触する前記導電性物質によって、前記導電性物質が前記周囲健常組織との電気的接触により前記創傷の電位を下げる、請求項１の手当て用品。
【請求項３】
前記導電性物質が創傷の電気抵抗を下げ、創傷電流を増大する、請求項２の手当て用品。
【請求項４】
前記導電性物質が抗菌作用を有し、前記手当て用品が前記導電性物質の一部を前記創傷中に拡散させて前記創傷中の微生物を死滅させる、請求項３の手当て用品。
【請求項５】
前記導電性物質が少なくとも一部は銀で構成され、前記抗菌作用は銀イオンが創傷中への移動する事による、請求項４の手当て用品。
【請求項６】
前記導電性物質が少なくとも一部はその抗菌作用により、そして少なくとも一部はその電気的作用による鎮痛効果を提供する、請求項５の手当て用品。
【請求項７】
前記導電性物質が少なくとも一部は金属で構成される、請求項１の手当て用品。
【請求項８】
前記金属が銀、金、アルミニウム、ニッケル、スズ、ステンレススチールおよび銅からなる群から選択される、請求項７の手当て用品。
【請求項９】
前記金属が非導電性物質上に被覆されている、請求項８の手当て用品。
【請求項１０】
前記非導電性物質がナイロン、綿、羊毛、絹、レーヨン、グラスウール、アクリルおよび熱可塑性ポリマーからなる群から選択される、請求項９の手当て用品。
【請求項１１】
前記非導電性物質が繊維の形態にある、請求項１０の手当て用品。
【請求項１２】
前記繊維がフィラメントに紡糸される、請求項１１の手当て用品。
【請求項１３】
前記フィラメントが織地に成形される、請求項１２の手当て用品。
【請求項１４】
前記織地が銀で被覆される、請求項１３の手当て用品。
【請求項１５】
前記銀が自触媒的無電極メッキ付着法により前記織地に付けられる、請求項１４の手当て用品。
【請求項１６】
前記導電性物質が前記銀処理織地の複数の層から形成され、前記層は互いに電気的に連続した状態にある、請求項１５の手当て用品。
【請求項１７】
前記導電性物質が少なくとも１本の歯および近位歯肉組織への適用のための用具に成形される、請求項１６の手当て用品。
【請求項１８】
前記導電性物質が足矯正具に成形される、請求項１６の手当て用品。
【請求項１９】
前記導電性物質が手袋に成形される、請求項１６の手当て用品。
【請求項２０】
前記導電性物質が矯正具の装具中に混入される、請求項１６の手当て用品。
【請求項２１】
前記導電性物質が矯正具のギブス中に混入される、請求項１６の手当て用品。
【請求項２２】
前記繊維が一緒にマット状にされてフェルトを生成する、請求項１１の手当て用品。
【請求項２３】
前記導電層が非被覆繊維と導体で被覆された繊維の混合物である、請求項２２の手当て用品。
【請求項２４】
前記導電性物質が少なくとも一部は、アルミニウム−銅、アルミニウム−マグネシウム、銅−金、銅−ニッケル、銅−パラジウム、金−パラジウム、金−銀、鉄−ニッケルおよび銀−パラジウムからなる群から選択される合金で構成される、請求項１の手当て用品。
【請求項２５】
前記導電性物質が少なくとも一部は、導電性ポリマー、炭素複合物質、エラストマーおよび金属粒子含有ケイ素マトリックスからなる群から選択される物質で構成される、請求項１の手当て用品。
【請求項２６】
前記手当て用品が使用中である場合に前記導体層が病的状態に罹患している身体の領域から一定の間隔を置かれる、請求項１の手当て用品。
【請求項２７】
前記病的状態が骨系の一部に対する損傷である、請求項２６の手当て用品。
【請求項２８】
前記損傷が骨折である、請求項２６の手当て用品。
【請求項２９】
前記損傷が変形性関節症である、請求項２７の手当て用品。
【請求項３０】
前記導電性層の抵抗が約１０Ω／ｃｍ２〜約０．００１Ω／ｃｍ２の範囲である、請求項１の手当て用品。
【請求項３１】
前記導電性層の抵抗が約１Ω／ｃｍ２〜約０．０１Ω／ｃｍ２の範囲である、請求項１の手当て用品。
【請求項３２】
前記導電性層の表面に貼り付けられる一層の吸収性物質をさらに含む、請求項１の手当て用品。
【請求項３３】
前記導電性層の表面に貼り付けられる一層の半透過性物質をさらに含む、請求項１の手当て用品。
【請求項３４】
前記導電性層に遠位の前記吸収性物質の表面に貼り付けられる一層の半透過性物質をさらに含む、請求項３２の手当て用品。
【請求項３５】
前記吸収性層に遠位の前記半透過性物質の表面に貼り付けられる接着剤層をさらに含む、請求項３４の手当て用品。
【請求項３６】
前記第一の導電性層に遠位の前記吸収性層に貼り付けられる第二の導電性層をさらに含む、請求項３２の手当て用品。
【請求項３７】
繊維性物質の複数の積層化層を包含する創傷用手当て用品であって、前記物質が金属化繊維を含有し、各層が金属化繊維対非金属化繊維の比率を有し、そして前記層が金属化繊維対非金属化繊維の比率の勾配を形成し、最高比率層が創傷部位と接触して置かれ得る手当て用品。
【請求項３８】
前記繊維状物質が半透過性である、請求項３７の創傷用手当て用品。
【請求項３９】
前記金属化繊維が銀、金、プラチナおよび強磁性体からなる群から選択される少なくとも１つの物質を含む繊維である、請求項３７の創傷用手当て用品。
【請求項４０】
前記金属化繊維が約１デニール〜約３０デニールのデニールを有する、請求項３７の創傷用手当て用品。
【請求項４１】
前記金属化繊維が約２デニール〜約８デニールのデニールを有する、請求項３７の創傷用手当て用品。
【請求項４２】
前記金属化繊維が約３デニールのデニールを有する、請求項３７の創傷用手当て用品。
【請求項４３】
前記非金属化繊維が柔軟性で、生物学的不活性で且つ非導電性である物質から作られる、請求項３７の創傷用手当て用品。
【請求項４４】
前記非金属化繊維が綿、羊毛、絹、その他の天然繊維、レーヨン、ナイロン、ガラスウール、アクリルおよび熱可塑性ポリマーからなる群から選択される物質から作られる、請求項３７の創傷用手当て用品。
【請求項４５】
前記非金属化繊維が約１デニール〜約３０デニールのデニールを有する、請求項３７の創傷用手当て用品。
【請求項４６】
前記非金属化繊維が約２デニール〜約８デニールのデニールを有する、請求項３７の創傷用手当て用品。
【請求項４７】
前記複数の層中の金属化対非金属化繊維の前記比率が約１：１００〜約１：１である、請求項３７の創傷用手当て用品。
【請求項４８】
前記複数の層中の金属化対非金属化繊維の前記比率が約１：５０〜約１：２である、請求項３７の創傷用手当て用品。
【請求項４９】
前記複数の層中の金属化対非金属化繊維の前記比率が約１：２０〜約１：４である、請求項３７の創傷用手当て用品。
【請求項５０】
前記金属化および非金属化繊維が前記物質全体に一般に不均一に分配される、請求項３７の創傷用手当て用品。
【請求項５１】
前記金属化および非金属化繊維が勾配で分配され、それにより前記物質の少なくとも一部が前記物質の第二の部分より高い金属化繊維平均濃度を有する、請求項３７の創傷用手当て用品。
【請求項５２】
前記手当て用品が繊維状物質、高相対比率の金属化対非金属化繊維を有する第一の層、前記第一の層に積層され、中間相対比率の金属化対非金属化繊維を有する第二の層、ならびに前記第二の層に積層され、低相対比率の金属化対非金属化繊維を有する第三の層の３つの層を含む、請求項３７の創傷用手当て用品。
【請求項５３】
以下の：
ａ）第一の比率の金属化対非金属化繊維を包含する半透過性繊維状物質の第一の層、
ｂ）第二の比率の金属化対非金属化繊維を包含する半透過性繊維状物質の第二の層、
ｃ）第三の比率の金属化対非金属化繊維を包含する半透過性繊維状物質の第三の層、
を含む創傷部位に適用され得る創傷用手当て用品であって、金属化対非金属化比率層の勾配を形成するよう前記第一の比率層が前記第二の比率層に積層され、前記第二の比率層が前記第三の比率層に積層されて、前記金属化繊維からの金属イオンが前記創傷部位に向かって移動し、それと接触するように最高比率層が創傷部位と接触され得る手当て用品。
【請求項５４】
前記金属化繊維が銀を含む、請求項５３の創傷用手当て用品。
【請求項５５】
繊維状物質の複数の積層化層を包含する創傷用手当て用品であって、前記物質が金属化繊維を含み、各層が金属化繊維対非金属化繊維の比率を有し、前記層が金属化繊維対非金属化繊維の勾配を形成し、最高比率層が創傷部位と接触して置かれ得る手当て用品。
【請求項５６】
繊維状物質の複数の積層化層を包含する創傷用手当て用品であって、前記物質が金属化繊維を含み、各層が独自の比率の金属化繊維対非金属化繊維を有し、非導電性多孔性物質の複数の別々の層が繊維状物質の前記層間に配置されて、前記層が金属化繊維対非金属化繊維比の勾配を形成し、最高比率層が創傷部位と接触して置かれ得る手当て用品。
【請求項５７】
ａ）本質的に銀繊維の少なくとも１つの第一層、および
ｂ）非導電性繊維の少なくとも１つの第二層
を含み、前記少なくとも１つの第一層が前記少なくとも１つの第二層に積層される創傷用手当て用品。
【請求項５８】
前記少なくとも１つの第一層が８つの層を包含し、そして前記少なくとも１つの第二層が８つの層を包含し、前記第一の層が前記第二の層と交互におかれて積層構造を構成する、請求項６０の創傷用手当て用品。